(57)【特許請求の範囲】
【請求項１】
上下一対の加締め型に放射状に対向配置した８本の加締め爪によりホース金具をホース端部に加締めるようにしたホース金具加締め装置において、
上加締め型が、ベース部材に取り付けられた、加締め爪を放射方向内側に移動させるためのカム機構と、該カム機構に取り付けられた４本の加締め爪とを有し、該カム機構がベース部材に上下の放射方向に直線的に摺動自在に設けられ、下加締め型との合い面を下面に有する１つの第１カムと、該第１カムに放射方向内側に向けて直線的に摺動自在に設けられた左右２つの第２カムと、各第２カムの放射方向内側で第１カムに直線的に摺動自在に設けられた２つの第３カムとから構成され、４本の加締め爪が第１カムの合い面に形成した凹部に半円状に配列されると共に、該凹部に突出する第３カムに取り付けられ、
下加締め型が、ベース部材に取り付けられた、加締め爪を放射方向内側に移動させるためのカム機構と、該カム機構に取り付けられた４本の加締め爪とを有し、該カム機構がベース部材に上下の放射方向に直線的に摺動自在に設けられ、上加締め型との合い面を上面に有する１つの第１カムと、該第１カムに放射方向内側に向けて直線的に摺動自在に設けられた左右２つの第２カムと、各第２カムの放射方向内側で第１カムに直線的に摺動自在に設けられた２つの第３カムとから構成され、４本の加締め爪が第１カムの合い面に形成した凹部に半円状に配列されると共に、該凹部に突出する第３カムに取り付けられ、
上下の加締め型の左右の第２カムに、加締め時に左側の上下の第２カム同士及び右側の上下の第２カム同士が互いに係合可能な係合部を設け、
昇降可能に設けた上加締め型が降下して上下の加締め型の合い面が当接した際に、前記左側及び右側の上下の第２カム同士が前記係合部を介して係合し、上加締め型が更に降下することで、上下の加締め型の第１カムが放射方向内側に移動し、それにより各上下の第２カムが連動して放射方向内側に向けて前進し、それにより第３カムが放射方向内側に向けて前進することで縮径移動する前記８本の加締め爪によりホース金具をホース端部に加締める構成にしたホース金具加締め装置。
【請求項２】
前記第１カムをスプリングにより上下に揺動自在に配設し、前記第２カム及び第３カムをスプリングの付勢力により前進前の位置に復帰可能にした請求項１に記載のホース金具加締め装置。
【発明の詳細な説明】
【０００１】
【発明の属する技術分野】
本発明は、ホースの端部にホース金具を加締めるための装置に関し、更に詳しくは、加締め後のホース金具の周上における寸法のバラツキを小さくするようにしたホース金具加締め装置に関する。
【０００２】
【従来の技術】
従来、ホースの端部にホース金具を加締める装置として、上下の加締め型に放射状に対向配置した複数の加締め爪を用いて行うようにした装置がある（例えば、特許文献１参照）。各加締め型の合い面に形成した凹部に半円状に複数の加締め爪を配列し、その内の１つの加締め爪を固定、残りの加締め爪を移動可能にした構成にしてあり、移動可能な加締め爪を放射方向内側に縮径移動させることにより、ホース金具を外側から押圧してホース端部に加締めるようになっている。
【０００３】
上述した加締め装置は、加締め爪を有する上下の加締め型に２分割した構成であるため、屈曲形状を有するホースを装置の加締め位置にセットするのが極めて容易であり、屈曲形状を有するホースの端部にホース金具を加締める作業を効率よく行うことができるという利点がある。
【０００４】
【特許文献１】
実開平５−８４４３０号公報
【０００５】
【発明が解決しようとする課題】
しかしながら、加締め後のホース金具の形状が円筒にならず、ホース中心から加締めたホース金具表面までの寸法が周上で大きく異なり、加締め後の寸法にバラツキが大きいという問題があった。
【０００６】
本発明は、加締め後のホース金具の周上における寸法のバラツキを小さくすることが可能なホース金具加締め装置を提供することにある。
【０００７】
【課題を解決するための手段】
上記目的を達成する本発明は、上下一対の加締め型に放射状に対向配置した８本の加締め爪によりホース金具をホース端部に加締めるようにしたホース金具加締め装置において、上加締め型が、ベース部材に取り付けられた、加締め爪を放射方向内側に移動させるためのカム機構と、該カム機構に取り付けられた４本の加締め爪とを有し、該カム機構がベース部材に上下の放射方向に直線的に摺動自在に設けられ、下加締め型との合い面を下面に有する１つの第１カムと、該第１カムに放射方向内側に向けて直線的に摺動自在に設けられた左右２つの第２カムと、各第２カムの放射方向内側で第１カムに直線的に摺動自在に設けられた２つの第３カムとから構成され、４本の加締め爪が第１カムの合い面に形成した凹部に半円状に配列されると共に、該凹部に突出する第３カムに取り付けられ、下加締め型が、ベース部材に取り付けられた、加締め爪を放射方向内側に移動させるためのカム機構と、該カム機構に取り付けられた４本の加締め爪とを有し、該カム機構がベース部材に上下の放射方向に直線的に摺動自在に設けられ、上加締め型との合い面を上面に有する１つの第１カムと、該第１カムに放射方向内側に向けて直線的に摺動自在に設けられた左右２つの第２カムと、各第２カムの放射方向内側で第１カムに直線的に摺動自在に設けられた２つの第３カムとから構成され、４本の加締め爪が第１カムの合い面に形成した凹部に半円状に配列されると共に、該凹部に突出する第３カムに取り付けられ、上下の加締め型の左右の第２カムに、加締め時に左側の上下の第２カム同士及び右側の上下の第２カム同士が互いに係合可能な係合部を設け、昇降可能に設けた上加締め型が降下して上下の加締め型の合い面が当接した際に、前記左側及び右側の上下の第２カム同士が前記係合部を介して係合し、上加締め型が更に降下することで、上下の加締め型の第１カムが放射方向内側に移動し、それにより各上下の第２カムが連動して放射方向内側に向けて前進し、それにより第３カムが放射方向内側に向けて前進することで縮径移動する前記８本の加締め爪によりホース金具をホース端部に加締める構成にしたことを特徴とする。
【０００８】
上述した本発明によれば、加締め時に全ての加締め爪が放射方向内側に移動してホース金具を加締めることができるので、加締め後のホース金具の形状を従来より円筒状にしてホース端部に加締めることが可能になる。そのため、ホース中心から加締めたホース金具表面までの寸法差を周上で小さくして、寸法のバラツキを抑制することができる。
【０００９】
【発明の実施の形態】
以下、本発明の構成について添付の図面を参照しながら詳細に説明する。
【００１０】
図１は本発明のホース金具加締め装置の一例を示し、１は下加締め型、２は上加締め型、Ｓは上下の加締め型２，１が当接した際に放射状に対向配置された状態となる８本の加締め爪である。
【００１１】
下加締め型１は、ブロック状のベース部材３と、このベース部材３に取り付けられ、４本の加締め爪Ｓを放射方向内側に縮径移動させるカム機構４と、このカム機構４に取り付けられた４本の加締め爪Ｓを備えている。
【００１２】
ベース部材３の下面には、図２に示すように複数の取付用孔６が形成され、この取付用孔６にボルトを螺設して不図示の下部構造体に下加締め型１を取り付けるようにしている。
【００１３】
カム機構４は加締め爪Ｓの外側に配設され、ベース部材３に上下の放射方向に直線的に移動自在に取り付けられた１つの第１カム７と、この第１カム７の作動により可動する２つの第２カム８、及びこの第２カム８の作動により可動する４つの第３カム９を有している。
【００１４】
第１カム７は、図３に示すように、前後のカム半体１０，１１の内側に突出した肉厚の上部側を接触させた状態で３本のボルト１２により連結した２分割二股構造になっており、前後の脚部１３，１４がベース部材３の前後面３Ｘ，３Ｙに対して摺動自在になっている。脚部１３，１４には、それぞれ左右両側に上下に延びるガイド用の長孔１５が形成され、その長孔１５にベース部材３の前後面３Ｘ，３Ｙに突設したガイドピン１６が係合している。
【００１５】
第１カム７の上部側左右には、１つの第２カム８と２つの第３カム９をそれぞれ収容する左右の収容空間部１７が形成されている。第１カム７の上面が上加締め型２との合い面１８になっている。合い面１８の左右方向中央部には、半円状にして配列される４本の加締め爪Ｓを収容するための正面視半円状の凹部１９が形成されている。この凹部１９に収容空間部１７が２か所で開口している。
【００１６】
合い面１８の左右方向両側には、上加締め型２と係合する位置決め用の凸部２０と凹部２１が前後方向に直線状に延設されている。右側は、前端から凸部２０が中央まで延在し、中央から後端まで凹部２１が延在している。左側は、前端から凹部２１が中央まで延在し、中央から後端まで凸部２０が延在している。
【００１７】
ベース部材３の前後面３Ｘ，３Ｙの下部両側にそれぞれ固設したブロック２２の上面に、上方に向けて延びるガイドロッド２３が突設され、その上部側がカム半体１０，１１の脚部１３，１４の下面に形成したガイド孔２４に摺動自在に挿入されている。脚部１３，１４の下面とブロック２２の上面との間には、ガイドロッド２３の外周側にコイルスプリング２５が装着され、このスプリング２５と長孔１５に係合するガイドピン１６により第１カム７を上下に揺動自在に支持している。
【００１８】
各第２カム８は第１カム７の収容空間部１７に摺動自在に収容され、ベース部材３の上面両側に形成された斜面３ａにそれぞれ固定した摺動用板２６に当接する背面８Ａと、第１カム７の収容空間部１７に面する平行な両第１内壁面７ａに摺動自在に接触する平行な両サイド面８Ｂ、及び第３カム９を押圧する前面８Ｃを備えている。
【００１９】
摺動用板２６の当接面２６ａと背面８Ａは、鉛直方向（中心線ＣＬに沿った上下方向）に対して４５°で傾斜している。両第１内壁面７ａと両サイド面８Ｂは、背面８Ａと直交する方向に４５°の角度で傾斜しており、各左右の第２カム８はこの内壁面７ａに沿って合い面１８の中心に向けて（上記放射方向内側に向けて）直線的に進退自在になっている。前面８Ｃは２つの第３カム９が当接する当接面部８Ｃ１，８Ｃ２を両側に有し、一方（合い面１８に近い側）の当接面部８Ｃ１が鉛直方向に、他方の当接面部８Ｃ２が水平方向に延在している。
【００２０】
カム半体１０，１１の脚部１３，１４の両側に合い面１８の中心に向けて４５°の角度で傾斜して延設した左右の長孔２７に位置する、ベース部材３の前後面に立設されたピン２８と第２カム８の前後面に立設したピン２９との間に、コイルスプリング３０が配設されている。このスプリング３０により第２カム８を摺動用板２６に当接する方向に常時付勢し、スプリング３０の付勢力を利用して図１に示す前進前の位置に復帰可能にしている。
【００２１】
各第２カム８の上側に位置するサイド面８Ｂの前後方向中央部前面側には、上方に向けて突出する２つの係合部３１が設けられている。この係合部３１は、収容空間部１７の合い面１８に開口する部分１７Ｘから合い面１８より所定の距離だけ突出し、２つの係合部３１に挟まれて加締め時に後述する上加締め型の第２カムから突出する係合部が係合可能な凹状の係合部３２が形成されている。
【００２２】
各２つの第３カム９が各収容空間部１７の第２カム８の内側（放射方向内側）に直線的に摺動自在に配設され、一方の第３カム９Ａが第２カム８の前面８Ｃの当接面部８Ｃ１に当接する鉛直方向に延在する背面９Ａ１と、収容空間部１７の凹部１９に開口する側に位置する一方の平行な両第２内壁面７ｂに摺動自在に接触する平行な両サイド面９Ａ２、及び加締め爪Ｓを取り付ける前面９Ａ３を備えている。
【００２３】
他方の第３カム９Ｂは第２カム８の前面８Ｃの当接面部８Ｃ２に当接する水平方向に延在する背面９Ｂ１と、収容空間部１７の凹部１９に開口する側に位置する他方の平行な両第２内壁面７ｃに摺動自在に接触する平行な両サイド面９Ｂ２、及び加締め爪Ｓを取り付けた前面９Ｂ３を有している。
【００２４】
一方の両第２内壁面７ｂと一方の第３カム９Ａの両サイド面９Ａ２は、水平な合い面１８に対して２２．５°で傾斜しており、第３カム９Ａはこの内壁面７ｂに沿って合い面１８の中心に向けて（上記放射方向内側に向けて）進退自在になっている。
【００２５】
他方の両第２内壁面７ｃと他方の第３カム９Ｂの両サイド面９Ｂ２は、垂直方向に延在する中心線ＣＬに対して２２．５°で傾斜しており、第３カム９Ｂはこの内壁面７ｃにガイドされながら合い面１８の中心に向けて（上記放射方向内側に向けて）進退自在になっている。従って、両第３カム９Ａ，９Ｂは４５°離間した関係にある。
【００２６】
各第３カム９は、図４に示すように、コイルスプリング３３によりピン３４，３５を介して前側のカム半体１０に連結され、このスプリング３３により第３カム９を第２カム８の前面８Ｃに当接する方向に常時付勢し、スプリング３３の付勢力を利用して前進前の位置に復帰可能にしている。
【００２７】
上述したカム機構４は、第１カム７により前進する第２カム８の数を第１カム７より多く、また第２カム８により前進する第３カム９の数を多くし、第１カム７が２つの第２カム８を前進させ、各第２カム８が２つの第３カム９を前進させる構成にしており、それにより第１カム７から第２カム８、及び第２カム８から第３カム９に加わる力を分散させるようにしている。
【００２８】
各加締め爪Ｓは、図４に示すように、その背面に取付用の突起部Ｓ１を有し、この突起部Ｓ１を凹部１９に突出する第３カム９の前面９Ｘ（第３カム９Ａ，９Ｂの前面９Ａ３，９Ｂ３）に形成した取付穴９Ｎに嵌合させ、六角穴付止めネジ３６を介して取付穴９Ｎ内に固定することにより、加締め爪Ｓが第３カム９に着脱自在に取り付けられている。
【００２９】
上加締め型２は、下加締め型１の上方に不図示の昇降押圧手段により昇降可能に設けられ、上述した下加締め型１を上下逆にした構造をしており、一部を除いて同じ構成になっている。
【００３０】
即ち、ブロック状のベース部材５３と、このベース部材５３に取り付けられ、複数の加締め爪Ｓを放射方向内側に縮径移動させるカム機構５４と、このカム機構５４に取り付けられた４本の加締め爪Ｓを備えている。
【００３１】
ベース部材５３の上面には、図２と同様の複数の取付用孔が形成され、この取付用孔にボルトを螺設して昇降押圧手段に取り付けるようになっている。
【００３２】
カム機構５４は、加締め爪Ｓの外側に配設され、ベース部材５３に上下の放射方向に直線的に移動自在に取り付けられた１つの第１カム５７と、この第１カム５７の作動により可動する２つの第２カム５８、及びこの第２カム５８の作動により可動する４つの第３カム５９を有している。
【００３３】
第１カム５７は、前後のカム半体６０，６１の内側に突出した肉厚の下部側を接触させた状態で３本のボルト６２により連結した２分割上側二股構造になっており、前後の上脚部６３，６４がベース部材５３の前後面５３Ｘ，５３Ｙに対して摺動自在になっている。上脚部６３，６４には、それぞれ左右両側に上下に延びるガイド用の長孔６５が形成され、その長孔６５にベース部材５３の前後面５３Ｘ，５３Ｙに突設したガイドピン６６が係合している。
【００３４】
第１カム５７の下部側の左右には、１つの第２カム５８と２つの第３カム５９をそれぞれ収容する左右の収容空間部６７が形成されている。第１カム５７の下面が下加締め型１との合い面６８になっている。合い面６８の左右方向中央部には、半円状にして配列される４本の加締め爪Ｓを収容するための正面視半円状の凹部６９が形成されている。この凹部６９に収容空間部６７が２か所で開口している。
【００３５】
合い面６８の左右方向両側には、下加締め型１と係合する位置決め用の凸部７０と凹部７１が前後方向に直線状に延設されている。右側は、前端から凹部７１が中央まで延在し、中央から後端まで凸部７０が延在している。左側は、前端から凸部７０が中央まで延在し、中央から後端まで凹部７１が延在しており、この上加締め型２の凸部７０が下加締め型１の凹部２１に、凹部７１が凸部２０に嵌合し、上下の加締め型２，１を加締め時に位置決めできるようになっている。
【００３６】
ベース部材５３の前後面５３Ｘ，５３Ｙの上部両側にそれぞれ固設したブロック７２の下面に、下方に向けて延びるガイドロッド７３が突設され、その下部側がカム半体６０，６１の上脚部６３，６４の上面に形成したガイド孔７４に摺動自在に挿入されている。上脚部６３，６４の上面とブロック７２の下面との間には、ガイドロッド７３を内周側にしてコイルスプリング７５が装着され、このスプリング７５と長孔６５に係合するガイドピン６６により第１カム５７を上下に揺動自在に支持している。
【００３７】
各第２カム５８は第１カム５７の収容空間部６７に摺動自在に収容され、ベース部材５３の下面両側に形成された斜面５３ａにそれぞれ固定した摺動用板７６に当接する背面５８Ａと、第１カム５７の収容空間部６７に面する平行な両第１内壁面５７ａに摺動自在に接触する平行な両サイド面５８Ｂ、及び第３カム５９を押圧する前面５８Ｃを備えている。
【００３８】
摺動用板７６の当接面７６ａと背面５８Ａは、鉛直方向に対して４５°で傾斜している。両第１内壁面５７ａと両サイド面５８Ｂは、背面５８Ａと直交する方向に４５°の角度で傾斜しており、各左右の第２カム５８はこの内壁面５７ａに沿って合い面６８の中心に向けて（上記放射方向内側に向けて）直線的に進退自在になっている。前面５８Ｃは２つの第３カム５９が当接する当接面部５８Ｃ１，５８Ｃ２を両側に有し、一方（合い面６８に近い側）の当接面部５８Ｃ１が鉛直方向に、他方の当接面部５８Ｃ２が水平方向に延在している。
【００３９】
カム半体６０，６１の上脚部６３，６４の両側に合い面６８の中心に向けて４５°の角度で傾斜して延設した左右の長孔７７に位置する、ベース部材５３の前後面に立設されたピン７８と第２カム５８の前後面に立設したピン７９との間にコイルスプリング８０が配設されている。このスプリング８０により第２カム５８を摺動用板７６に当接する方向に常時付勢し、スプリング８０の付勢力を利用して図１に示す前進前の位置に復帰可能にしている。
【００４０】
各第２カム５８の下側に位置するサイド面５８Ｂの前後方向中央部前面側には、下方に向けて突出した係合部８１が設けられている。この係合部８１は、収容空間部６７の合い面６８に開口する部分６７Ｘから合い面６８より所定の距離だけ突出し、加締め時に上述した下加締め型１の第２カム７から突出する２つの係合部３１に挟まれて形成された凹状の係合部３２に係合し、上下に対応する位置にある第２カム５８，８を互いに係合可能にしている。
【００４１】
各２つの第３カム５９が各収容空間部６７の第２カム５８の内側に摺動自在に配設され、一方の第３カム５９Ａが第２カム５８の前面５８Ｃの当接面部５８Ｃ１に当接する鉛直方向に延在する背面５９Ａ１と、収容空間部６７の凹部６９に開口する側に位置する一方の平行な両第２内壁面５７ｂに摺動自在に接触する平行な両サイド面５９Ａ２、及び加締め爪Ｓを取り付ける前面５９Ａ３を備えている。
【００４２】
他方の第３カム５９Ｂは第２カム５８の前面５８Ｃの当接面部５８Ｃ２に当接する水平方向に延在する背面５９Ｂ１と、収容空間部６７の凹部６９に開口する側に位置する他方の平行な第２内壁面５７ｃに摺動自在に接触する平行な両サイド面５９Ｂ２、及び加締め爪Ｓを取り付ける前面５９Ｂ３を有している。
【００４３】
一方の両第２内壁面５７ｂと一方の第３カム５９Ａの両サイド面５９Ａ２は、水平な合い面６８に対して２２．５°傾斜しており、第３カム５９Ａはこの内壁面５７ｂに沿って合い面６８の中心に向けて（上記放射方向内側に向けて）直線的に進退自在になっている。
【００４４】
他方の両第２内壁面５７ｃと他方の第３カム５９Ｂの両サイド面５９Ｂ２は、垂直方向に延在する中心線ＣＬに対して２２．５°傾斜しており、第３カム５９Ｂはこの内壁面５７ｃにガイドされながら合い面６８の中心に向けて（上記放射方向内側に向けて）直線的に進退自在になっている。従って、両第３カム５９Ａ，５９Ｂは４５°離間した関係にある。
【００４５】
各第３カム５９は、上述した図４に示すと同様に、コイルスプリング８３によりピン８４，８５を介して前側のカム半体６０に連結され、このスプリング８３により第３カム５９を第２カム８８の前面５８Ｃに当接する方向に常時付勢し、スプリング８３の付勢力を利用して前進前の位置に復帰可能にしている。
【００４６】
上述したカム機構５４も、第１カム５７により前進する第２カム５８の数を第１カム５７より多く、また第２カム５８により前進する第３カム５９の数を多くし、第１カム５７が２つの第２カム５８を前進させ、各第２カム５８が２つの第３カム５９を前進させる構成にしてあり、それにより第１カム５７から第２カム５８、及び第２カム５８から第３カム５９に加わる力を分散させるようにしている。
【００４７】
各加締め爪Ｓは、上述と同様にして凹部６９に突出する第３カム５９に着脱自在に取り付けられている。
【００４８】
以下、上述した本発明のホース金具加締め装置の動作について説明すると、上加締め型２が降下し、先ず上下の加締め型２，１の合い面６８，１８が当接する。その際に上下の加締め型２，１の位置決め用の凸部７０，２０と凹部２１，７１が係合し、上下の加締め型２，１を位置決めする。また、上下の対応する位置にある第２カム５８，８に突設した係合部８１と２つの係合部３１に挟まれて形成された凹状の係合部３２が係合する。
【００４９】
合い面１８，６８を当接させた状態で更に上加締め型２が降下すると、下加締め型１の第１カム７がガイドピン１６とガイドロッド２３にガイドされて下方に、上加締め型２の第１カム５７がガイドピン６６とガイドロッド７３にガイドされて上方に移動する。
【００５０】
この移動により、第１カム７，５７がそれぞれ第２カム８，５８を第１内壁面７ａ，５７ａに沿って放射方向内側に向けて前進させる。その際、上下の対応する位置にある第２カム８，５８が係合部３２，８１により係合した状態となるため、上下の第２カム８，５８が連動して同期的に前進する。
【００５１】
この第２カム８，５８の前進によって第２カム８，５８が前面に当接する各第３カム９，５９を第２内壁面７ｂ，７ｃ，５７ｂ，５７ｃに沿って放射方向内側に向けて前進させ、これにより各第３カム９，５９に固定された各加締め爪Ｓが放射方向内側に向けて同時に縮径移動し、加締め爪Ｓの内周側にセットされている不図示のホース金具を加締め爪Ｓにより周りから押しつぶしてホース端部に加締め固定する。
【００５２】
加締め後、上加締め型２が上昇すると、第１カム７，５７はコイルスプリング２５，７５により元の位置に復帰する一方、第２カム８，５８はコイルスプリング３０，８０により、第３カム９，５９はコイルスプリング３３，８３により、図１の前進前の位置に復帰する。
【００５３】
上述した本発明によれば、加締め時に全ての加締め爪Ｓが放射方向内側に縮径移動するので、加締め後のホース金具の形状を従来より円筒状にして加締めることができ、それによってホース中心から加締めたホース金具表面までの寸法差を周上で小さくして、寸法のバラツキを小さくすることができる。
【００５４】
また、加締め時に上下の加締め型２，１の上下に対応する位置にある第２カム８，５８が係合し、連動して同期的に前進することができるため、加締め爪Ｓを放射方向内側により均等に縮径移動させ、寸法のバラツキを一層小さくすることができる。
【００５５】
また、カム機構４，５４を、第１カム７，５７により前進する第２カム８，５８の数を第１カム７，５７より多く、また第２カム８，５８により前進する第３カム９，５９の数を多くし、第１カム７，５７が２つの第２カム８，５８を前進させ、各第２カム８，５８が２つの第３カム９，５９を前進させることで、第１カム５７から第２カム５８、及び第２カム５８から第３カム５９に加わる力を分散させることができるので、各カムの大きさを小さくして、小型軽量化することができる。
【００５６】
しかも、上述したように上下の加締め型２，１を上下逆にした構造にして略同じ構成にすることで、上下の加締め型２，１における部品の共通化を図ることができるので、装置コストを抑えることができる。
【００５９】
【発明の効果】
上述したように本発明は、一対の加締め型に放射状に対向配置した複数の加締め爪によりホース金具をホース端部に加締めるようにしたホース金具加締め装置において、各加締め爪を放射方向内側に移動可能に配置したので、加締め後のホース金具の周上における寸法のバラツキを小さくすることが可能になる。
【図面の簡単な説明】
【図１】本発明のホース金具加締め装置の一例を図２の矢視方向から見た半断面正面図である。
【図２】図１の底面図である。
【図３】図１の下加締め型の部分断面側面図である。
【図４】図１のＡ−Ａ矢視断面図である。
【符号の説明】
１  下加締め型                    ２  上加締め型
４，５４  カム機構                ７，５７  第１カム
８，５８  第２カム                ９，５９  第３カム
１８，６８  合い面                ２５，７５  コイルスプリング
３０，８０  コイルスプリング      ３１，８１  係合部
３３，８３  コイルスプリング      Ｓ  加締め爪
【図１】
0003823091.tif 000002
【図２】
0003823091.tif 000003
【図３】
0003823091.tif 000004
【図４】
0003823091.tif 000005